(57)【特許請求の範囲】
【請求項１】
臨床用管状容器の開口部に着脱自在に取付けられる合成樹脂製のキャップであって、
円形の後端面と、前記後端面から滑らかに先細り状にのびる円錐台形状の側面と、前記側面に接続する平坦なまたはドーム状の先端面とを有し、
前記後端面の外周縁に環状フランジが設けられるとともに、前記側面には、前記側面から突出する複数の環状リブが前記環状フランジに平行に一定のピッチで連続的に設けられ、前記環状リブの直径は、最も前記後端面側にある前記環状リブから最も前記先端面側にある前記環状リブへ順番に小さくなっており、
前記先端面側から前記臨床用管状容器の開口部に差し込まれ、前記複数の環状リブのうちの少なくとも１つが前記臨床用管状容器の内壁面と係合することによって、前記臨床用管状容器の開口部に嵌合するものであることを特徴とするキャップ。
【請求項２】
前記後端面が開口した中空構造を有していることを特徴とする請求項１に記載のキャップ。
【請求項３】
前記後端面の開口に着脱自在に取付けられる付加的なキャップを備えたことを特徴とする請求項２に記載のキャップ。
【発明の詳細な説明】
【技術分野】
【０００１】
本発明は、スピッツ管や試験管等の臨床用管状容器の開口部に着脱自在に取付けられるキャップに関するものである。
【背景技術】
【０００２】
臨床用管状容器は、その使用用途に応じて種々のものが存在し、その径の大きさも様々である。
そして、通常、これらの臨床用管状容器の開口部には、スクリューキャップまたはスナップ係合式のキャップが着脱自在に取付けられ、管状容器の内容物が外部に溢れ出ないようになっている（例えば、特許文献１、２参照）。
【０００３】
そしてこの場合、管状容器のそれぞれには、対応するキャップが各１個備えられ、１の管状容器と対応する１のキャップとが対になって使用されるようになっている。
【０００４】
ところで、臨床の現場においては、互いに径の異なる複数の管状容器が同時に使用される場合や、径は同一でキャップの係合方式が異なる複数の管状容器が同時に使用される場合等がある。
かかる場合には、管状容器にキャップを取付ける際に、通常は、一箇所に集められたキャップ群の中から、当該管状容器に適合したキャップをその都度選択する必要があり、非常に作業効率が悪いという問題があった。
【０００５】
加えて、スナップ係合式のキャップは、通常、キャップのヘッドが管状容器の開口部に確実に密着した状態で嵌合するような構造になっているので、キャップに対する取り付けおよび取り外しの際に、手指にかなりの力を要し、多数本の管状容器を用いて検査作業を行う場合等に、検査技師の負担となっていた。
【先行技術文献】
【特許文献】
【０００６】
【特許文献１】特開平９−７２９１３号公報
【特許文献２】三菱化学メディエンス株式会社、検査のご案内、検査容器一覧、インターネット＜URL:http://www.medience.co.jp/information/container.html＞
【発明の概要】
【発明が解決しようとする課題】
【０００７】
したがって、本発明の課題は、複数種類の臨床用管状容器のいずれにも適合し、しかも着脱が容易な汎用のキャップを提供することにある。
【課題を解決するための手段】
【０００８】
上記課題を解決するため、本発明は、臨床用管状容器の開口部に着脱自在に取付けられる合成樹脂製のキャップであって、円形の後端面と、前記後端面から滑らかに先細り状にのびる円錐台形状の側面と、前記側面に接続する平坦なまたはドーム状の先端面とを有し、前記後端面の外周縁に環状フランジが設けられるとともに、前記側面には、前記側面から突出する複数の環状リブが前記環状フランジに平行に一定のピッチで連続的に設けられ、前記環状リブの直径は、最も前記後端面側にある前記環状リブから最も前記先端面側にある前記環状リブへ順番に小さくなっており、前記先端面側から前記臨床用管状容器の開口部に差し込まれ、前記複数の環状リブのうちの少なくとも１つが前記臨床用管状容器の内壁面と係合することによって、前記臨床用管状容器の開口部に嵌合するものであることを特徴とするキャップを構成したものである。
【０００９】
上記構成において、前記後端面が開口した中空構造を有していてもよい。この場合、前記後端面の開口に着脱自在に取付けられる付加的なキャップを備えていてもよい。
【発明の効果】
【００１０】
本発明によれば、キャップを実質上円錐台形状とし、その側面に複数の管状リブを一定のピッチで設け、小径の先端側から臨床用管状容器の開口部に差し込み、キャップ側面のいずれかの管状リブを管状容器の内壁面と係合させることによって、管状容器の開口部に嵌合させる。そして、小径の管状容器の場合には管状容器内に浅く進入した位置で、大径の管状容器の場合には管状容器内に深く進入した位置で、それぞれ、キャップを管状容器に嵌合させることができる。
こうして、キャップは、互いに径が異なる複数種類の管状容器に適合する。
【００１１】
また、本発明によれば、キャップを管状容器の開口部に差し込んで嵌合させるので、管状容器がスクリューキャップに対応する構造であっても、キャップを取り付けることができる。
さらに、本発明によれば、キャップ側面の環状リブのうち、管状容器の内径に対応する径を有する環状リブのみが管状容器の内壁と係合することで、キャップの嵌合がなされるので、キャップの着脱が容易である一方、キャップを取り付けた状態では、管状容器の開口部を確実に閉鎖できる。
【図面の簡単な説明】
【００１２】
【図１】本発明の１実施例による臨床用管状容器のキャップの立体図である。
【図２】（Ａ）は図１のキャップの側面図であり、（Ｂ）は図１のキャップの縦断面図である。
【図３】本発明のキャップの使用状態を示す側面図であり、（Ａ）はキャップを大径の管状容器に取り付けた状態を示し、（Ｂ）はキャップを小径の管状容器に取り付けた状態を示したものである。
【図４】本発明の別の実施例による臨床用管状容器のキャップの側面図である。
【図５】本発明の別の実施例による臨床用管状容器のキャップの図１に類似の図である。
【発明を実施するための形態】
【００１３】
以下、添付図面を参照して本発明の好ましい実施例を説明する。図１は、本発明の１実施例による臨床用管状容器のキャップの立体図であり、図２（Ａ）は、図１のキャップの側面図であり、図２（Ｂ）は、図１のキャップの縦断面図である。
【００１４】
図１および図２を参照して、本発明による臨床用管状容器のキャップ１は、円形の後端面２と、後端面２から先細り状にのびる側面３と、側面３に接続する平坦な先端面４とを有する実質上円錐台形状を有している。
【００１５】
この実施例では、キャップ１は、図１および図２に示すように、後端面２が開口した中空構造を有しているが、その代わりに、キャップ１が、図５に示すように、中身の詰まった構造を有していてもよい。
また、この実施例では、キャップ１の先端面４は平坦になっているが、その代わりに、ドーム状になっていてもよい。
【００１６】
また、キャップ１の後端面２の外周縁には環状フランジ５が設けられる。環状フランジ５によって、キャップ１の取り付けおよび取り外しの際の手指による操作がし易くなる。
さらに、キャップ１の側面３には、複数の環状リブ６が環状フランジ５に平行に一定のピッチで設けられる。
【００１７】
本発明のキャップ１は、射出成形法を用いて、合成樹脂材料から一体形成することができ、それによって、キャップの製造コストが大幅に低減される。
【００１８】
図３は、本発明のキャップの使用状態を示す側面図であり、（Ａ）はキャップを大径の管状容器に取り付けた状態を示し、（Ｂ）はキャップを小径の管状容器に取り付けた状態を示したものである。
図３を参照して、本発明のキャップ１は、先端面４側から臨床用管状容器の開口部に差し込まれ、複数の環状リブのうちの少なくとも１つが臨床用管状容器の内壁面と係合することによって、臨床用管状容器の開口部に嵌合する。
【００１９】
そして、図３（Ａ）に示すように、大径の管状容器７の場合には、キャップ１は、管状容器７内に深く進入した位置で管状容器７に嵌合する（このとき、環状リブ６’が管状容器７の内壁面と係合する）。また、図３（Ｂ）に示すように、小径の管状容器８の場合には、キャップ１は、管状容器８内に浅く進入した位置で管状容器８に嵌合する（このとき、環状リブ６”が管状容器８の内壁面と係合する）。
こうして、キャップ１は、互いに径が異なる複数種類の管状容器７、８に適合する。
【００２０】
この場合、本発明のキャップ１は、管状容器７、８の開口部に差し込むことによって管状容器に取り付けられるので、管状容器がスクリューキャップに対応する構造になっていても、支障なく取り付けが可能である。
また、キャップ側面３の環状リブ６のうち、管状容器７、８の内径に対応する径の環状リブ６’、６”が管状容器７、８の内壁面と係合することで、キャップ１の嵌合がなされるので、キャップ１の着脱を容易に行える一方、キャップ１を取り付けた状態では、管状容器７、８の開口部を確実に閉鎖することができる。
【００２１】
図１および図２の実施例のように、キャップ１が、後端面２が開口した中空構造を有している場合には、図４に示すように、後端面２の開口に着脱自在に取付けられる付加的なキャップ９を備えていてもよい。
図４の実施例では、付加的なキャップ９は、鍋底状の本体９ｂと、本体９ｂの側壁上端に設けられた環状フランジ９ａを備えている。
こうして、本発明のキャップ１を、補助的な容器として使用することができる。
【符号の説明】
【００２２】
１  キャップ
２  後端面
３  側面
４  先端面
５  環状フランジ
６  環状リブ
７  臨床用管状容器
８  臨床用管状容器
９  付加的なキャップ
９ａ  環状フランジ
９ｂ  本体
【図１】
0005757020.tif 000002
【図２】
0005757020.tif 000003
【図３】
0005757020.tif 000004
【図４】
0005757020.tif 000005
【図５】
0005757020.tif 000006